【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
硬化又は未硬化の強力接着被覆組成物であって、
アクリレート及びアクリルアミドモノマーからなる群より選択される少なくとも１つのモノマーから誘導されるモノマー単位を９９．７９〜０．１重量％、
アミン含有エチレン性不飽和モノマーからなる群より選択される少なくとも１つのモノマーから誘導されるモノマー単位を９９．７９〜０．１重量％、
エチレン性不飽和会合性モノマーからなる群より選択される少なくとも１つのモノマーから誘導されるモノマー単位を９９．７９〜０．１重量％、そして、
ポリオールのポリアクリレートからなる群より選択される少なくとも１つのモノマーから誘導されるモノマー単位を９９．７〜０．１重量％、
を含む少なくとも１つのコポリマー又はコオリゴマーを、接着促進剤として含み、被覆組成物の適用の前に、コポリマー又はコオリゴマーのアミン部位を少なくとも部分的に酸で中和する、硬化又は未硬化の強力接着被覆組成物。
【請求項２】
硬化被覆である、請求項１記載の硬化又は未硬化の強力接着被覆組成物。
【請求項３】
前記コポリマー又はコオリゴマーが酸により少なくとも部分的に中和されている、請求項１記載の硬化又は未硬化の強力接着被覆組成物。
【請求項４】
乾燥する前に水中で測定して約３〜約７のｐＨを有する、請求項２記載の強力接着被覆組成物。
【請求項５】
コポリマー又はコオリゴマーが、アクリレート及びアクリルアミドモノマーからなる群より選択される少なくとも１つのモノマーから誘導されるモノマー単位を約２０〜約８０重量％、アミン含有エチレン性不飽和モノマーからなる群より選択される少なくとも１つのモノマーから誘導されるモノマー単位を約２０〜約８０重量％、エチレン性不飽和会合性モノマーからなる群より選択される少なくとも１つのモノマーから誘導されるモノマー単位を約０．５〜約３０重量％、そしてポリオールのポリアクリレートからなる群より選択される少なくとも１つのモノマーから誘導されるモノマー単位を約０．０１〜約１０重量％含む、請求項１記載の強力接着被覆組成物。
【請求項６】
アクリレート及びアクリルアミドモノマーが、１〜２２個の炭素原子を含有するアクリル酸、メタクリル酸又はアルコールのアクリル酸若しくはメタクリル酸エステルであり、
アミン含有エチレン性不飽和モノマーが、ジアルキルアミノアルキルアクリレート又はメタクリレート、ジアルキルアミノアルキルアクリルアミド又はメタクリルアミド、アリルアミン、２−ビニルピリジン、４−ビニルピリジン及びＮ’，Ｎ’−ジメチルアミノエチル−Ｎ，Ｎ−ジメチルアンモニウム−Ｎ−プロピルメタクリレートクロリドからなる群より選択され、
エチレン性不飽和会合性モノマーが、ポリアルコキシル化Ｃ８−３２アルコールの不飽和エステル、ポリアルキレングリコールの不飽和エステル、ポリアルコキシル化Ｃ８−３２アルコールの不飽和エーテル及びポリアルキレングリコールの不飽和エーテルからなる群より選択され、そして
ポリオールのポリアクリレートが、芳香族、脂肪族又は脂環式のポリオールのアクリル酸及びメタクリル酸エステルからなる群より選択される
請求項１記載の強力接着被覆組成物。
【請求項７】
アクリレート及びアクリルアミドモノマーが、アクリルアミド、メタクリルアミド、Ｎ−メチルアクリルアミド、Ｎ，Ｎ−ジメチルアクリルアミド、Ｎ，Ｎ−ジメチル（メタ）アクリルアミド、Ｎ−イソプロピル（メタ）アクリルアミド、ジアセトンアクリルアミド及びＮ−モルホリノアクリルアミドからなる群より選択され、
アミン含有エチレン性不飽和モノマーが、ジメチルアミノエチルアクリレート、ジメチルアミノエチルメタクリレート、ジエチルアミノエチルメタクリレート、ジメチルアミノプロピルアクリルアミド、tert−ブチルアミノエチルメタクリレート、ジメチルアミノプロピルメタクリルアミド、アリルアミン、２−ビニルピリジン、４−ビニルピリジン及びＮ’，Ｎ’−ジメチルアミノエチル−Ｎ，Ｎ−ジメチルアンモニウム−Ｎ−プロピルメタクリレートクロリドからなる群より選択され、
エチレン性不飽和会合性モノマーが、ポリアルコキシル化Ｃ８−３２アルコールの不飽和エステル、ポリアルキレングリコールの不飽和エステル、ポリアルコキシル化Ｃ８−３２アルコールの不飽和エーテル及びポリアルキレングリコールの不飽和エーテルからなる群より選択され、そして
ポリオールのポリアクリレートが、エチレングリコール、１，２−若しくは１，３−プロパンジオール、１，２−、１，３−若しくは１，４−ブタンジオール、ペンタンジオール、ヘキサンジオール、オクタンジオール、ドデカンジオール、ジエチレングリコール、トリエチレングリコール、１，３−シクロペンタンジオール、１，２−、１，３−若しくは１，４−シクロヘキサンジオール、１，４−ジヒドロキシメチルシクロヘキサン、グリセロール、トリス（β−ヒドロキシエチル）アミン、トリメチロールエタン、トリメチロールプロパン、ペンタエリトリトール、ジペンタエリトリトール、トリペンタエリトリトール、２，２−ビス（４−ヒドロキシフェニル）プロパン、又はソルビトールのアクリル酸及びメタクリル酸エステルからなる群より選択される
請求項１記載の強力接着被覆組成物。
【請求項８】
アクリレート及びアクリルアミドモノマーが、アクリルアミド、メタクリルアミド、アクリル酸メチル、メタクリル酸メチル、ジアセトンアクリルアミド及びＮ，Ｎ−ジメチルアクリルアミドからなる群より選択され、
アミン含有エチレン性不飽和モノマーが、ジメチルアミノプロプルアクリルアミド、ジメチルアミノプロピルメタクリルアミド、ジメチルアミノエチルメタクリレート及びtert−ブチルアミノエチルメタクリレートからなる群より選択され、
エチレン性不飽和会合性モノマーが、ポリアルコキシル化Ｃ８−３２アルコールのアクリル酸及びメタクリル酸エステル、ポリアルキレングリコールのアクリル酸及びメタクリル酸エステル、ポリアルコキシル化Ｃ８−３２アルコールのアリルエーテル、並びにポリアルキレングリコールのアリルエーテルからなる群より選択され、そして
ポリオールのポリアクリレートが、エチレングリコールジアクリレート、プロピレングリコールジアクリレート、ネオペンチルグルコールジアクリレート、ヘキサメチレングリコールジアクリレート、１，４−ブタンジオールジアクリレート、１，４−ブタンジオールジメタクリレート、ビスフェノールＡジアクリレート、ビスフェノールＡジメタクリレート、４，４’−ビス（２−アクリロイルオキシエトキシ）ジフェニルプロパン、トリメチロールプロパントリアクリレート、トリス（２−アクリロイルエチル）イソシアヌレート、トリメチロールエタントリアクリレート、トリメチロールプロパントリメタクリレート、トリメチロールエタントリメタクリレート、テトラメチレングルコールジメタクリレート、トリエチレングルコールジメタクリレート、テトラエチレングリコールジアクリレート、ペンタエリトリトールジアクリレート、ペンタエリトリトールトリアクリレート、ペンタエリトリトールテトラアクリレート、ジペンタエリトリトールジアクリレート、ジペンタエリトリトールトリアクリレート、ジペンタエリトリトールテトラアクリレート、ジペンタエリトリトールペンタアクリレート、ジペンタエリトリトールヘキサアクリレート、トリペンタエリトリトールオクタアクリレート、ペンタエリトリトールジメタクリレート、ペンタエリトリトールトリメタクリレート、ジペンタエリトリトールジメタクリレート、ジペンタエリトリトールテトラメタクリレート、トリペンタエリトリトールオクタメタクリレート、１，３−ブタンジオールジアクリレート、１，３−ブタンジオールジメタクリレート、ソルビトールトリアクリレート、ソルビトールテトラアクリレート、ペンタエリトリトール改質トリアクリレート、ソルビトールテトラメタクリレート、ソルビトールペンタアクリレート、ソルビトールヘキサアクリレート、グリセロールジ−又はトリアクリレート及び１，４−シクロヘキサンジアクリレートからなる群より選択される
請求項１記載の強力接着被覆組成物。
【請求項９】
会合性モノマーが、ポリアルコキシル化Ｃ１２−３２アルコールのアクリル酸及びメタクリル酸エステルであり、前記ポリアルコキシル化Ｃ１２−３２アルコールが、２〜５０個の反復エトキシ又はプロポキシ単位によりヒドロキシルで置換されている、請求項１記載の強力接着被覆組成物。
【請求項１０】
会合性モノマーが、ステアリルエトキシ（２５）メタクリレート、ステアリルエトキシ（２０）メタクリレート、ベヘニルエトキシ（２５）メタクリレート、ステアリルエトキシ（１０）アリルエーテル、ポリ（エチレングリコール）（メタ）アクリレート、ポリ（エチレングリコール）モノメチルエーテルモノ（メタ）アクリレート、ポリ（エチレングリコール）アクリレート、及びポリ（エチレングリコール）モノメチルエーテルモノアクリレートである、請求項１記載の強力接着被覆組成物。
【請求項１１】
コポリマー又はコオリゴマーが、
アクリルアミド、メタクリルアミド、アクリル酸メチル、メタクリル酸メチル、ジアセトンアクリルアミド及びＮ，Ｎ−ジメチルアクリルアミドからなる群より選択される少なくとも１つのモノマー、
ジメチルアミノエチルメタクリレート、ｔ−ブチルアミノエチルメタクリレート及びジメチルアミノプロピルメタクリルアミドからなる群より選択される少なくとも１つのモノマー、
ステアリルエトキシ（２５）メタクリレート、ステアリルエトキシ（２０）メタクリレート、ステアリルエトキシ（１０）アリルエーテル、ポリ（エチレングリコール）３５０モノメチルエーテルモノ（メタ）アクリレート、及びペンタエリトリトールトリアクリレートからなる群より選択されるエチレン性不飽和会合性モノマー
から誘導されるモノマー単位を含む、請求項１記載の強力接着被覆組成物。
【請求項１２】
酸が、鉱酸又はカルボン酸からなる群より選択される、請求項３記載の強力接着被覆組成物。
【請求項１３】
酸が、ギ酸、酢酸、プロピオン酸、グリコール酸若しくは乳酸、又はクエン酸からなる群より選択されるカルボン酸である、請求項１２記載の強力接着被覆組成物。
【請求項１４】
強力接着被覆組成物が、保護被覆、重ね刷り用ワニス、２個の基材の間の接着層、静電気制御被覆、下塗り層、トナー、トナー受容層、インクジェット受容層以外のインク受容層、又はインクジェットインク以外の印刷インクである、請求項１記載の組成物。
【請求項１５】
コポリマー又はコオリゴマーの少なくとも１つを混和することにより、基材に対する被覆及び他のポリマー基材の接着を改善する方法であって、
アクリレート及びアクリルアミドモノマーからなる群より選択される少なくとも１つのモノマーから誘導されるモノマー単位を９９．７９〜０．１重量％、
アミン含有エチレン性不飽和モノマーからなる群より選択される少なくとも１つのモノマーから誘導されるモノマー単位を９９．７９〜０．１重量％、
エチレン性不飽和会合性モノマーからなる群より選択される少なくとも１つのモノマーから誘導されるモノマー単位を９９．７９〜０．１重量％、及び
ポリオールのポリアクリレートからなる群より選択される少なくとも１つのモノマーから誘導されるモノマー単位を９９．７〜０．１重量％含み、
被覆配合物の適用の前に、コポリマー又はコオリゴマーのアミン部位を少なくとも部分的に酸で中和する方法。
【請求項１６】
無機若しくは有機基材、又は無機若しくは有機金属化基材を被覆する方法であって、
接着促進剤として請求項１記載の少なくとも１つのコポリマー又はコオリゴマーを含む、強力接着被覆組成物を調製すること、
コポリマー又はコオリゴマーを、被覆配合物と混和する前に又は混和するときに中和酸により部分的に又は完全に中和すること、
部分的に又は完全に中和された配合物を、基材の表面又は２個の基材の間に適用すること、及び
被覆配合物を、周囲条件下、真空若しくは減圧下、加熱又は紫外線への暴露により乾燥又は硬化すること
を含む方法。
【請求項１７】
中和酸が乾燥又は硬化の際に部分的に又は完全に除去される、請求項１６記載の方法。
【請求項１８】
無機若しくは有機基材、又は無機若しくは有機金属化基材が、熱可塑性、弾性、架橋された又は固有に架橋されているポリマーである、請求項１６記載の方法。
【請求項１９】
熱可塑性、弾性、架橋された又は固有に架橋されているポリマーが、ポリオレフェン、熱可塑性ポリオレフェン、ポリウレタン、ポリアミド、ポリアクリレート、ポリカーボネート、ポリスチレン、ポリエステル又はハロゲン化ビニルポリマーである、請求項１８記載の方法。
【請求項２０】
熱可塑性、弾性、架橋された又は固有に架橋されているポリマーが、ポリアミド、ポリアクリレート、ポリカーボネート又はポリエステルである、請求項１９記載の方法。